(57)【要約】【課題】本体自体が回転体となる弾性体を動力とする回転体を提供する。【解決手段】回転体１は内部に空気を満たして、円筒形状を維持する。回転体１の内部には、弾性体２、２が設けられており、重錘３は弾性体２、２に支持されている。重錘３の重量は、弾性体２、２の捻れにより回転しない重さとし、この重錘３の重量により弾性体２、２を巻くことができるようになっている。回転体１を転がすと、弾性体２、２は回転するが、重錘３は重力により回転せず、弾性体２、２が捻られる。捻られた弾性体２、２が元に戻ろうとする反動で回転体１は回転走行する。【選択図】  図１
0003131545.tif 000002
【実用新案登録請求の範囲】
【請求項１】
回転体と、
該回転体の内部に回転体と共に回転可能に両端を固定された弾性体と、
該弾性体に固定された重錘と、を備え、
前記重錘が該弾性体の回転を係止し、これにより弾性体に捻れを生じさせる、
ことを特徴とする弾性体を動力とする回転体。
【請求項２】
前記回転体が、筒状体であり、
前記弾性体の両端が該筒状体の両端面に固定されている、
請求項１の弾性体を動力とする回転体。
【請求項３】
前記筒状体が空気を充填することにより筒状体形状を維持する、軟質材から形成される、
請求項２の弾性体を動力とする回転体。
【請求項４】
前記弾性体がゴム材からなる紐状体である、
請求項１又は２又は３の弾性体を動力とする回転体。
【請求項５】
一対の回転片と、
該回転片を連結する連結体と、
前記一対の回転片間に設けられた弾性体と、
該弾性体に接続された重錘と、を備え、
前記弾性体が前記回転片の回転と共に回転し、
前記重錘が該弾性体の回転を係止し、これにより弾性体に捻れを生じさせる、
ことを特徴とする弾性体を動力とする回転体。
【考案の詳細な説明】
【技術分野】
【０００１】
この考案は、弾性体を動力とする回転体に関する。
【背景技術】
【０００２】
ゴムやスプリングなどの弾性体を動力として車輪を回転させて走行させる玩具は従来から広く知られている。  
【０００３】
【特許文献１】特開平０９−３１３７４５号公報
【考案の開示】
【考案が解決しようとする課題】
【０００４】
しかし、従来のものは、本体と車輪を有し、本体に固定した弾性体を捻って、その戻りを動力として車輪を回転させる構成であるため、非回転の本体を必須としていた。そのため、本体自体を回転体とすることができず、構造の複雑化、装置のコスト高などを招いていた。
本考案は上記従来技術の問題を解決することを目的とする。
【課題を解決するための手段】
【０００５】
上記目的を達成するために、本考案の弾性体を動力とする回転体は、回転体と、該回転体の内部に回転体と共に回転可能に両端を固定された弾性体と、該弾性体に固定された重錘と、を備え、前記重錘が該弾性体の回転を係止し、これにより弾性体に捻れを生じさせる、ことを特徴とする。
上記構成により、回転体を回転することにより弾性体に捻れが生じ、この捻れが元に戻る時に反動で回転体に回転力を与える。
ここで弾性体とは、捻られた状態から元に戻る性質を有する材質を有するものを云い、ゴムやスプリング等が典型的な例として挙げられる。また、合成樹脂や繊維なども捻られた状態から元に戻る性質を有するものであれば使用可能である。
前記回転体として、筒状体が一般的であり、前記弾性体の両端が該筒状体の両端面に固定されている構成とするのが望ましい。また前記筒状体を空気を充填することにより筒状体形状を維持する、軟質材から形成することが望ましい。このような空気充填の回転体を用いた場合、回転体自体の弾性により該弾性体の捻りの戻りの力を増強することが可能になる。
前記弾性体としてはゴム材からなる紐状体とするのが望ましいが、他の弾性体も使用可能である。
前記回転体として、一対の回転片と、該回転片を連結する連結体とで構成し、前記一対の回転片間に弾性体を設ける構成とすることが可能である。
【考案の効果】
【０００６】
本考案の弾性体を動力とする回転体は、回転体内で弾性体の捻りを生じさせることができるから、非回転の本体を必要とせず、本体自体を回転体とすることが可能であり、構造の簡単化、装置のコスト低下などを実現できる効果がある。
【考案を実施するための最良の形態】
【０００７】
以下本考案の実施の形態を図面に基づいて説明する。
【０００８】
図１において、回転体１は側面１０と端面１１、１１を有する円筒形をなしている。この回転体１は軟質の合成樹脂材料からなり、空気注入口１９から内部に空気を満たすことにより、円筒形状を維持する構造になっている。
【０００９】
回転体１の内部には、一対の弾性体２、２が設けられており、この弾性体２、２を動力として回転体１は回転可能に構成されている。
弾性体２、２は、この実施例ではゴム紐を用いている。
【００１０】
弾性体２、２は、図示するようにＶ字形状をなし、一端側が支持板１２に固定点２０、２０において固定され、他端が重錘３に固定点２１において固定されている。
支持板１２は端面１１の内側に装着された板状の剛体であり、Ｖ字状の弾性体２の２つの端部を固定点２０、２０において固定支持している。
【００１１】
重錘３は回転体１の軸線方向ほぼ中央部に位置し、その両端を弾性体２、２に固定点２１、２１において固定接続され、弾性体２，２に支持されている。
重錘３としては、種々のものが使用可能であるが、この実施形態では、袋３０に複数のスーパーボール３１を入れて重りとしている。
重錘３の重量は、弾性体２、２の捻れにより回転しない重さとし、この重錘３の重量により弾性体２、２を巻くことができるようになっている。
【００１２】
以上の構成において、回転体１を平面上に置き、図１の矢印Ｂ方向に回転体１を転がすと、回転体１は矢印ＢＲ方向に回転しつつ走行する。
この回転により、弾性体２、２は回転するが、重錘３は重力により回転しない。そのため、弾性体２、２は固定点２１、２１で固定され、固定点２０、２０が回転することになり、これにより弾性体２、２が捻られる。
【００１３】
図２に弾性体２、２が捻られた状態を示す。
この状態で、回転体１の矢印Ｂ方向への転がしを停止し、手を離せば、捻られた弾性体２、２は元に戻ろうとし、その反動で回転体１は矢印ＦＲ方向に回転し、矢印Ｆ方向に回転走行する。
【００１４】
以上のように、回転体１は回転体１自体で回転、走行することが可能であり、非回転の本体などを必要としない。
また、上記実施形態においては、回転体１として軟質の合成樹脂材料に空気を充填したものを採用しているため、回転体１自体に弾性があり、弾性体２、２の捻れにより端面１１、１１が互いに接近する方向に引っ張られる。そして、弾性体２、２の捻れが戻る時に、引っ張られている端面１１、１１も元に戻ろうとするため、この力も加わって弾性体２、２の戻る力が大きくなる。また、回転体１自体の弾性が十分に大きい場合、弾性体２、２として繊維などからなる通常の紐等を採用することも可能である。
なおこの回転体１は、平面上を走行させる玩具として使用することが可能であり、また端面１１、１１の中心部を軸支して、単に回転体１を回転させる玩具やモニュメントとしても使用可能である。
また、回転体１を走行体の車輪として用いることも可能であり、走行体側に動力装置を装着する必要がなく、簡単に走行可能な走行体を構成することができる。
【００１５】
図３に他の実施形態を示す。この実施形態においては、２本の弾性体２ａｂを用い、この弾性体２ａｂに絞りリング２５、２５を通してある。重錘３’は一方の弾性体２ｂに固定し、他方の弾性体２ａには固定していない。
以上の構成において、図１の場合と同様に回転体１を回転させれば、弾性体２ａは重錘３’に係止され、絞りリング２５、２５が固定点２１’、２１’となり、絞りリング２５と固定点２０との間の弾性体２ａｂが捻れ、図１に示す構成と同じく該捻れが戻ることにより回転体１が回転する。
【００１６】
図４に更に他の実施形態を示す。
この実施形態では、回転体１”を、一対の円形の端面１１”、１１”と、該端面１１”、１１”を連結する支持材１５、１５とから構成している。この回転体１”は、図１に示す構成のように側面１０を有さず、端面１１”のみが接地して、車輪として機能するように構成されている。該端面１１”、１１”としては円板やスポークを備えた車輪状のものなど種々のものが採用可能である。
また、弾性体２”も一本のゴム紐から構成され、両端が端面１１”、１１”の中心に位置する固定点２０”、２０”において固定されている。また重錘３”は、弾性体２”のほぼ中央部に固定点２１”において固定されている。
【００１７】
以上の構成において、端面１１”、１１”を回転させると、それに伴い弾性体２”も回転するが、中央部に固定された重錘３”により弾性体２”は固定点２１”において捻れる。即ち、一方の固定点２０”と固定点２１”の間、及び他方の固定点２０”と固定点２１”の間で弾性体２”の捻れが生じて、この捻れが元に戻るときに、回転動力となり端面１１”、１１”を回転させる。
図４の構成は、走行体の車輪等に用いるのに好適である。
【図面の簡単な説明】
【００１８】
【図１】本考案の一実施形態を示す斜視図。
【図２】本考案の一実施形態の動作を示す斜視図。
【図３】本考案の他の実施形態を示す正面図。
【図４】本考案の更に他の実施形態を示す正面図。
【符号の説明】
【００１９】
１：回転体、２：弾性体、３：重錘、１０：側面、１１：端面、１２：支持板、１５：支持材、１９：空気注入口、２０：固定点、２１：固定点、２５：絞りリング、３０：袋、３１：スーパーボール。
【図１】
0003131545.tif 000003
【図２】
0003131545.tif 000004
【図３】
0003131545.tif 000005
【図４】
0003131545.tif 000006
【手続補正書】
【提出日】平成19年3月1日(2007.3.1)
【手続補正１】
【補正対象書類名】実用新案登録請求の範囲
【補正対象項目名】全文
【補正方法】変更
【補正の内容】
【実用新案登録請求の範囲】
【請求項１】
回転体と、
該回転体の内部に両端を固定された弾性体と、
該弾性体に固定された重錘と、
を備えたことを特徴とする弾性体を動力とする回転体。
【請求項２】
前記回転体が、筒状体であり、
前記弾性体の両端が該筒状体の両端面に固定されている、
請求項１の弾性体を動力とする回転体。
【請求項３】
前記筒状体が空気を充填することにより筒状体形状を維持する、軟質材から形成される、
請求項２の弾性体を動力とする回転体。
【請求項４】
前記弾性体がゴム材からなる紐状体である、
請求項１又は２又は３の弾性体を動力とする回転体。
【請求項５】
一対の回転片と、
該回転片を連結する連結体と、
前記一対の回転片間に設けられた弾性体と、
該弾性体に接続された重錘と、
を備えたことを特徴とする弾性体を動力とする回転体。